【手続補正書】
【提出日】平成27年10月27日(2015.10.27)
【手続補正１】
【補正対象書類名】特許請求の範囲
【補正対象項目名】全文
【補正方法】変更
【補正の内容】
【特許請求の範囲】
【請求項１】
３次元コンテンツを処理する装置であって、該３次元コンテンツは複数の異なるアングルから取得または生成された少なくとも２つの画像シーケンスを含み、３次元レンダリングは前記少なくとも２つの画像シーケンス間の視差のレベルに関連付けられており、前記装置は、前記コンテンツから、複数の異なる伝送ビットレートに適した複数の異なる視差のレベルに対応する少なくとも２つの異なるコンテンツ・バージョンを生成するように構成され、前記視差のレベルは前記伝送ビットレートとともに減少する、前記装置。
【請求項２】
伝送ビットレートに応じた前記視差のレベルの変化の法則に従って前記コンテンツ・バージョンを生成するように構成されている、請求項１に記載の装置。
【請求項３】
前記法則は伝送ビットレート閾値を含み、前記閾値未満で視差のレベルが零となる、請求項２に記載の装置。
【請求項４】
コンテンツの画像シーケンスのうちの１つのみを符号化することによって、前記閾値未満の伝送ビットレートに対応するバージョンを生成するように構成されている、請求項３に記載の装置。
【請求項５】
コンテンツの複数のバージョンの各々の視差のレベルおよび／または各々の伝送ビットレートを記述する記述ファイルを生成するように構成されており、前記記述ファイルは前記複数のバージョンに対応して記憶される、請求項１〜４のいずれか１項に記載の装置。
【請求項６】
一方のバージョンと他方のバージョンとで同一の時間位置を有する参照フレームを含むコンテンツの複数のバージョンを生成するように構成されている、請求項１〜５のいずれか１項に記載の装置。
【請求項７】
各コンテンツの各シーケンスを当該同一のコンテンツの他のシーケンスとは独立して符号化することにより、前記コンテンツの各バージョンが、前記シーケンスに各々が関連付けられ、かつ複数の視差のレベルに各々が対応する、または、視差の複数の相補レベルに各々が対応するデータのサブグループで構成されて、視差の種々のレベルを別々に又は少なくとも２つで規定するように構成されている、請求項１〜６のいずれか１項に記載の装置。
【請求項８】
少なくともＭＶＣ、ＡＶＣおよびＳＶＣを含む群から選択される圧縮技術を適用するビデオ符号化手段によって各バージョンを生成するように構成されている、請求項１〜７のいずれか１項に記載の装置。
【請求項９】
請求項１〜８のいずれか１項に記載の処理装置を含む、サーバ。
【請求項１０】
コンテンツ受信機のための、３次元コンテンツ取得装置であって、該３次元コンテンツは複数の異なるアングルから取得または生成された少なくとも２つの画像シーケンスを含み、３次元レンダリングは前記少なくとも２つの画像シーケンス間の視差のレベルに関連付けられており、前記装置は、選択された視差のレベルおよび／または選択された伝送ビットレートに従ったコンテンツのバージョンを選択するように構成され、複数の異なる伝送ビットレートに適した複数の異なる視差のレベルに対応する少なくとも２つの異なるコンテンツのバージョンがコンテンツ・ストレージ・サーバに記憶され、前記視差のレベルは前記伝送ビットレートとともに減少し、さらに前記装置は、コンテンツ・ストレージ・サーバから前記選択されたバージョンをリクエストするように前記コンテンツ受信機にコマンドを与えるように構成されている、前記装置。
【請求項１１】
取得を所望するコンテンツの複数のバージョンに対応して記憶され、各々の視差のレベルおよび／または各々の伝送ビットレートを記述する記述ファイルを前記サーバから復元するために前記コンテンツ受信機にコマンドを与え、次いで、所望の視差のレベルおよび／または所望の伝送ビットレートに従って前記コンテンツの選択されたバージョンを連続的に制御することによって、ストリーミング・セッションを開始するように構成されている、請求項１０に記載の装置。
【請求項１２】
請求項１０または１１に記載のコンテンツ取得装置を含む、コンテンツ受信機。
【手続補正２】
【補正対象書類名】明細書
【補正対象項目名】０００７
【補正方法】変更
【補正の内容】
【０００７】
本発明の様々な態様に係る第１の装置は、特に、以下に挙げる他の特徴事項を別個に、または組み合わせて構成することができる。
−装置は、伝送ビットレートに応じた視差のレベルの変化の法則に従ってコンテンツ・バージョンを生成するように構成することができる。
＞この法則は伝送ビットレート閾値を含み、この閾値未満で視差のレベルが零となるようにすることができる。
・装置は、バージョンが閾値未満の伝送ビットレートに対応する場合にのみ、コンテンツの画像シーケンスのうちの１つのみを符号化することによって、このバージョンを生成するように構成することができる。
−装置は、コンテンツの複数のバージョンの各々の視差のレベルおよび／または各々の伝送ビットレートを記述する記述ファイルを生成するように構成することができる。この目的は、これらのバージョンに対応する記憶を行うことにある。
−装置は、一方のバージョンと他方のバージョンとで同一の時間位置を有する参照フレームを含むコンテンツの複数のバージョンを生成するように構成することができる。
−装置は、各コンテンツの各シーケンスをこの同一のコンテンツとは独立して符号化することにより、コンテンツの各バージョンが、シーケンスに各々が関連付けられ、かつ複数の視差のレベルに各々が対応する、または、視差の複数の相補レベルに各々が対応するデータのサブグループで構成されて、視差の種々のレベルを別々に又は少なくとも２つで規定するように構成することができる。
−装置は、少なくともＭＶＣ、ＡＶＣおよびＳＶＣを含む群から選択される圧縮技術を適用するビデオ符号化手段によって各コンテンツのバージョンを生成するように構成することができる。
【手続補正３】
【補正対象書類名】明細書
【補正対象項目名】００１３
【補正方法】変更
【補正の内容】
【００１３】
【図１】一方で本発明の一実施形態に係る第１の処理装置を備えたコンテンツ・サーバが接続され、他方で本発明の他の実施形態に係る第２のコンテンツ取得装置を備えたコンテンツ受信機が接続された通信ネットワークを図式的、機能的に示す図である。
【図２】本発明の一実施形態に係る処理装置によって取得される、同一のコンテンツの６つの異なるバージョンを図式的に示す図である。
【図３】伝送ビットレート（ＤＢ）に応じた視差（ＮＤ）のレベルの変化の法則の第１の例をグラフによって図式的に示す図である。
【図４】伝送ビットレート（ＤＢ）に応じた視差（ＮＤ）のレベルの変化の法則の第２の例をグラフによって図式的に示す図である。
【手続補正４】
【補正対象書類名】明細書
【補正対象項目名】００３２
【補正方法】変更
【補正の内容】
【００３２】
例えば、処理装置Ｄ１は、伝送ビットレートＤＢに応じた視差ＮＤのレベルの変化を規定する法則に従って３Ｄコンテンツの複数のバージョンＶｊを生成することができる。この場合、各バージョンＶｊのビットの数のサイズは、視差ＮＤの関連付けられたレベルに依存する。バージョンＶｊの視差ＮＤのレベルが高くなるほど、このバージョンＶｊのサイズが大きくなり、したがって、関連付けられた伝送ビットレートＤＢが高くなる。このことは、図２における非制限的な例において示されている。実際、それぞれが一組の圧縮されたデータ・フレームを表す、種々のバージョンＶｊ（ここで、ｊ＝１〜６）の長方形は、第１のバージョンＶ１（視差ＮＤのレベルが最小となるもの）から第６のバージョンＶ６（視差ＮＤのレベルが最大となるもの）に向かって大きくなる、（各々のサイズを表す）面積を有する。
【手続補正５】
【補正対象書類名】明細書
【補正対象項目名】００３３
【補正方法】変更
【補正の内容】
【００３３】
図３は、伝送ビットレートＤＢに応じた視差ＮＤのレベルの変化の法則（ＮＤ＝ｆ（ＤＢ））の第１の例をグラフで図式的に示している。ここで、変化は、双曲線正接型の法則に顕著に従う。図２の非制限的な例は、このタイプの法則の使用の結果として得られるものである。「１」である視差ＮＤのレベルに関連付けられたバージョンＶｊは、最大の視差を示す３Ｄコンテンツの画像シーケンスを使用し、その一方で、「０」である視差ＮＤのレベルに関連付けられたバージョンＶｊ’は、最小の視差（おそらくは零（０））を示す３Ｄコンテンツの画像シーケンスを使用し、さらに、「０」と「１」との間の視差ＮＤのレベルに関連付けられたバージョンＶｊ”は、中間の減少した視差を示す３Ｄコンテンツの画像シーケンスを使用することが理解できよう。
【手続補正６】
【補正対象書類名】明細書
【補正対象項目名】００３４
【補正方法】変更
【補正の内容】
【００３４】
なお、図２に示されたもの以外の他のタイプの法則を使用することもできる。したがって、法則（ＮＤ＝ｆ（ＤＢ））が伝送ビットレート閾値を含むことができ、この伝送ビットレート閾値未満で視差ＮＤのレベルが零（０）となるようにすることができる。図４は、上述したタイプの閾値を含む伝送ビットレートに応じた視差ＮＤのレベルの変化の法則（ＮＤ＝ｆ（ＤＢ））の第２の例をグラフで図式的に示している。ここで、伝送ビットレートは、概ね３Ｍｂｐｓである。この場合、３Ｍｂｐｓ以下である全ての伝送ビットレートＤＢに対して、視差ＮＤの零レベルが関連付けられる。
【手続補正７】
【補正対象書類名】明細書
【補正対象項目名】００３８
【補正方法】変更
【補正の内容】
【００３８】
なお、さらに、処理装置Ｄ１は、３Ｄコンテンツの幾つかのシーケンスを、この同一の３Ｄコンテンツの他のシーケンスのうちの１つ以上に応じて符号化（または圧縮）することにより各バージョンＶｊを生成することができる。しかしながら、一実施形態においては、各３Ｄコンテンツの各シーケンスをこの同一の３Ｄコンテンツの他のシーケンスとは独立して符号化するように処理装置（Ｄ１）を構成することができる。したがって、３Ｄコンテンツの各バージョンＶｊは、複数の異なるシーケンスに各々が関連付けられ、かつ視差ＮＤの種々のレベルに各々が対応する、または、視差の複数の相補レベルに各々が対応するデータの複数のサブグループで構成されて、視差ＮＤの種々のレベルを別々に又は少なくとも２つで規定する。例えば、画像シーケンスに関連付けられた第１のサブグループを第１の視差レベルに関連付けられたベース・レイヤーで構成し、この同一の画像シーケンスに関連付けられた第２のサブグループを、ベース・レイヤーと、第１の視差レベルよりも高い第２の視差のレベルに関連付けられた第１の拡張レイヤーとによって構成し、この同一の画像シーケンスに関連付けられた第３のサブグループを、ベース・レイヤーと、第１の拡張レイヤーと、第１および第２の視差レベルよりも高い第３の視差のレベルに関連付けられた第２の拡張レイヤーとによって構成することができる。
【手続補正８】
【補正対象書類名】明細書
【補正対象項目名】００４３
【補正方法】変更
【補正の内容】
【００４３】
バージョンＶｊの選択は、視差ＮＤの選択されたレベルに従って、（選択が行われる時点で通信ネットワークＲによって提供される状態とは無関係に、さらに、画像の品質とは無関係に）例えば、特定のレベルの３Ｄレンダリングの実施、したがって特定の視差が所望される場合に行うことができること、または、選択された伝送ビットレートＤＢに応じて行うことができること、例えば、画像品質が良好となるように、バージョンＶｊの選択の時点でバージョンＶｊが通信ネットワークＲによって提供されるビットレート条件に確実に合致することが所望される場合に行うことができ（これに示唆される３Ｄレンダリングのレベルが何であるかを問わない）、または、選択された視差ＮＤのレベルおよび選択された伝送ビットレートＤＢに応じて行うことができる点を理解できよう。
【手続補正９】
【補正対象書類名】明細書
【補正対象項目名】００４４
【補正方法】変更
【補正の内容】
【００４４】
所望の３Ｄコンテンツの複数の異なるバージョンＶｊを識別するために、コンテンツ取得装置Ｄ２は、記述ファイルを関係のあるサーバＳＣから復元するために自己のコンテンツ受信機ＲＣにコマンドを与えるように構成することができる。記述ファイルは、これらのバージョンＶｊに対応した記憶を行う（さらに、記述ファイルは、各々の視差レベルおよび／または各々の伝送ビットレートを記述する）。この場合、コンテンツ受信機ＲＣが関係のあるサーバＳＣから必要な記述ファイルを復元すると、コンテンツ取得装置Ｄ２は、視差ＮＤの所望のレベルおよび／または所望の伝送ビットレートに応じて、所望の３Ｄコンテンツの選定（または選択）されたバージョンを実質的に連続的に制御することによって、ストリーミング・セッションを開始することができる。さらに、コンテンツ取得装置Ｄ２は、自己のコンテンツ受信機ＲＣに対し、選択する各バージョンＶｊ（これは、記述ファイル中に記載されている）の指定を提供し、装置がバージョンＶｊを関係のあるサーバＳＣからリクエストできるようにする。